(57)【要約】      （修正有）【課題】毛髪に艶とコシを付与し、くせ毛を矯正すると共に、ボリューム感のあるサラサラとした毛髪にすることができる技術を提供する。【解決手段】所定の間隔を置いて一列に垂設される複数の歯４を支える胴１と、胴の先端に肩を介して形設される櫛尖６と、胴及び歯に延設される櫛体７と、櫛体に歯先と同方向に傾斜して延設される把手８と、把手の後端に形設される母指孔９とを一体に備えたコーム本体１２と、動把手１３と薬指孔１４及び小指掛け１５とを一体に備えたコーム操作補助体１６とが、櫛体のほぼ中央で、要によって所定の回転角を回動可能に枢結されるコームであって、コーミング方法は、コームの表面を上方に向け、肩、胴、及び、櫛体とで形成される直線状の背又は円弧状の背を頭皮と接触することなく、頭皮に沿うように縦横無尽に平行往復移動することを特徴とする。【選択図】図５
2020131007.tif 000002
【特許請求の範囲】
【請求項１】
複数の歯を支える胴と、
前記胴に所定の間隔を置いて一列に垂設される前記複数の歯と、
前記胴の先端にあって、前記胴に延設される肩を介し、前記複数の歯の先端の歯に所定の間隔を置いて形設される櫛尖と、
前記胴及び前記歯に延設される櫛体と、
前記櫛体に前記歯の歯先と同じ方向に傾斜して延設される把手と、
前記把手の後端に形設される母指孔とを一体に備えたことを特徴とするコーム。
【請求項２】
前記コームに表（おもて）面と裏面とを有し、前記歯の前記裏面は略水平であって、前記歯の前記表面は、直線状の傾斜面又は円弧状の傾斜面であって、前記直線状の傾斜面と前記裏面とが形成する傾斜角及び前記円弧状の傾斜面の接線と前記裏面とが形成する傾斜角が５°以上１５°以下であることを特徴とする請求項１に記載のコーム。
【請求項３】
前記胴に垂設される歯の先端部分の歯先が、前記直線状の傾斜面と前記裏面とが形成する傾斜角及び前記円弧状の傾斜面の接線と前記裏面とが形成する傾斜角が６°以上２６°以下で、前記歯先の前記裏面からの高さが０．７ｍｍ以上１．１ｍｍ以下となるように歯先収束面が形成されており、前記裏面との傾斜角が３９°以上７９°以下で切断される歯先先端面を有することを特徴とする請求項２記載のコーム。
【請求項４】
前記胴に垂設される歯の先端部分の歯先が、前記直線状の傾斜面と前記裏面とが形成する傾斜角及び前記円弧状の傾斜面の接線と前記裏面とが形成する傾斜角が６°以上２６°以下で、前記歯先の前記裏面からの高さが０．７ｍｍ以上１．１ｍｍ以下となるように形成される前記歯先収束面と、前記裏面との傾斜角が３９°以上７９°以下で切断される前記歯先先端面を有する前記歯先を、更に、前記歯先先端面の幅が０．１５ｍｍ以上０．４５ｍｍ以下、前記歯先先端面の長さが０．１５ｍｍ以上０．４５ｍｍ以下の突起体を形成するように、前記裏面との傾斜角が３６°以上７６°以下で前記歯先収束面を歯元側から切断して形設される歯先傾斜面を有することを特徴とする請求項３記載のコーム。
【請求項５】
前記歯先傾斜面に０．０５ｍｍ以上０．４５ｍｍ以下の幅及び深さの溝が形成されていることを特徴とする請求項４に記載のコーム。
【請求項６】
前記肩、前記胴、及び、前記櫛体とで形成される背が、直線又は円弧状曲線であって、前記直線の背に対する前記把手の傾斜角、又は、前記円弧状曲線の背の接線に対する前記把手の傾斜角が２６°以上４６°以下、前記歯の長さが４ｍｍ以上１１ｍｍ以下、前記胴の幅が０．５ｍｍ以上４．５ｍｍ以下、前記歯の幅が０．７ｍｍ以上１．１ｍｍ以下、前記歯の間隔が０．８ｍｍ以上１．４ｍｍ以下であることを特徴とする請求項１〜５のいずれか一項に記載のコーム。
【請求項７】
前記胴と前記胴に垂設される前記複数の歯とが形成する歯元を連結した連結線が、直線又は円弧状曲線であって、前記直線と前記櫛体側に傾斜する前記複数の歯とが形成する傾斜角、又は、前記円弧状曲線の接線と前記櫛体側に傾斜する前記複数の歯とが形成する傾斜角が７５°以上９０°以下であることを特徴とする請求項１〜６のいずれか一項に記載のコーム。
【請求項８】
前記円弧状曲線である背及び前記円弧状曲線である連結線の曲率が０．０００１以上０．０００８以下であることを特徴とする請求項１〜７のいずれか一項に記載のコーム。
【請求項９】
前記櫛尖の厚さが１．５ｍｍ以上３．０ｍｍ以下、前記櫛尖の幅が１．０ｍｍ以上３．０ｍｍ以下、前記櫛尖の長さが５．０ｍｍ以上７．０ｍｍ以下、前記櫛尖の側面が作る円弧状曲線の曲率が０．２１以上０．４０以下であって、前記肩の側面が作る円弧状曲線の曲率が０．０８以上０．２１以下であることを特徴とする請求項１〜８のいずれか一項に記載のコーム。
【請求項１０】
前記櫛体の厚さが２．５ｍｍ以上３．５ｍｍ以下、前記櫛体の幅が７ｍｍ以上１７ｍｍ以下、櫛体の長さが２３ｍｍ以上３３ｍｍ以下、前記把手の厚さが３．５ｍｍ以上４．５ｍｍ以下、把手の長さが２１ｍｍ以上３１ｍｍ以下、櫛尖の先端から櫛体までの胴に垂設される歯の全長が５０ｍｍ以上７０ｍｍ以下であることを特徴とする請求項１〜９のいずれか一項に記載のコーム。
【請求項１１】
全長が１６０ｍｍ以上１７０ｍｍ以下、前記要から戦記櫛尖の先端までの長さが６７ｍｍ以上７７ｍｍ以下、前記要から前記把手の後端までの長さが６２ｍｍ以上７２ｍｍ以下、前記要から前記母指孔の中心までの長さが４８ｍｍ以上５８ｍｍ以下、前記要から前記動把手の後端までの長さｍが９０ｍｍ以上１００ｍｍ以下、前記要から前記薬指孔の中心までの長さが６０ｍｍ以上７０ｍｍ以下、前記小指掛けの長さоが１０ｍｍ以上２０ｍｍ以下、前記直線の背に対する前記動把手の傾斜角、又は、前記円弧状曲線の背の接線に対する前記動把手の傾斜角が０°以上５°以下であることを特徴とする請求項２〜１０のいずれか一項に記載のコーム。
【請求項１２】
磁性を有し、焼き戻し後のブリネル硬度（ＨＢ）が１５０以上、又は、焼き戻し後のロックウェル硬度（ＨＲＣ）が５５以上である炭素鋼、特殊鋼、及び、ステンレス鋼のいずれかの鉄基合金によって成形されていることを特徴とする請求項１〜１１のいずれか一項に記載のコーム。
【請求項１３】
Ｃ含有量：０．８０％以上１．３５％以下、Ｓｉ含有量：０．２５％以下、Ｍｎ含有量：０．３５％以下、Ｐ含有量：０．０３％以下、Ｓ含有量：０．００６％以下、Ｎｉ含有量：１．３０％以下、Ｃｒ含有量：０．５０％以下の化学組成である炭素鋼によって成形されていることを特徴とする請求項１〜１１のいずれか一項に記載のコーム。
【請求項１４】
Ｃ含有量：１．００％以上１．５０％以下、Ｓｉ含有量：０．３０％以下、Ｍｎ含有量：０．３０％以下、Ｐ含有量：０．０２５％以下、Ｓ含有量：０．０２％以下、Ｃｒ含有量：０．１５％以上０．５０％以下、Ｖ含有量：０．５０％以下、Ｗ含有量：２．５０％以下である特殊鋼によって成形されていることを特徴とする請求項１〜１１のいずれか一項に記載のコーム。
【請求項１５】
Ｃ含有量：３．００％以下、Ｓｉ含有量：１．００％以下、Ｍｎ含有量：１．００％以下、Ｐ含有量：０．０４％以下、Ｓ含有量：０．０３％以下、Ｎｉ含有量：０．４９％以下、Ｃｒ含有量：４．５０％以上２０．０％以下、Ｍｏ含有量：５．００％以下、Ｖ含有量：３．００％以下、Ｗ含有量：６．００％以下、Ｃｏ含有量８．００％以下であるステンレス鋼によって成形されていることを特徴とする請求項１〜１１のいずれか一項に記載のコーム。
【請求項１６】
磁性を有し、焼き戻し後のブリネル硬度（ＨＢ）が１５０以上、又は、焼き戻し後のロックウェル硬度（ＨＲＣ）が５５以上である炭素鋼、特殊鋼、及び、ステンレス鋼のいずれかの鉄基合金を母材とするクラッド材料によって成形されていることを特徴とする請求項１〜１１のいずれか一項に記載のコーム。
【請求項１７】
Ｃ含有量：０．８０％以上１．３５％以下、Ｓｉ含有量：０．２５％以下、Ｍｎ含有量：０．３５％以下、Ｐ含有量：０．０３％以下、Ｓ含有量：０．００６％以下、Ｎｉ含有量：１．３０％以下、Ｃｒ含有量：０．５０％以下の化学組成である炭素鋼を母材とするクラッド材料によって成形されていることを特徴とする請求項１〜１１のいずれか一項に記載のコーム。
【請求項１８】
Ｃ含有量：１．００％以上１．５０％以下、Ｓｉ含有量：０．３０％以下、Ｍｎ含有量：０．３０％以下、Ｐ含有量：０．０２５％以下、Ｓ含有量：０．０２％以下、Ｃｒ含有量：０．１５％以上０．５０％以下、Ｖ含有量：０．５０％以下、Ｗ含有量：２．５０％以下である特殊鋼を母材とするクラッド材料によって成形されていることを特徴とする請求項１〜１１のいずれか一項に記載のコーム。
【請求項１９】
Ｃ含有量：３．００％以下、Ｓｉ含有量：１．００％以下、Ｍｎ含有量：１．００％以下、Ｐ含有量：０．０４％以下、Ｓ含有量：０．０３％以下、Ｎｉ含有量：０．４９％以下、Ｃｒ含有量：４．５０％以上２０．０％以下、Ｍｏ含有量：５．００％以下、Ｖ含有量：３．００％以下、Ｗ含有量：６．００％以下、Ｃｏ含有量８．００％以下であるステンレス鋼母材とするクラッド材料によって成形されていることを特徴とする請求項１〜１１のいずれか一項に記載のコーム。
【請求項２０】
請求項１〜１９のいずれか一項に記載のコームを用い、前記表面を上方に向け、前記肩、前記胴、及び、前記櫛体とで形成される直線状の背又は円弧状の背を頭皮と接触させて又は接触することなく、頭皮に沿うように縦横無尽に平行往復移動することを特徴とするコーミング方法。
【発明の詳細な説明】
【技術分野】
【０００１】
本発明は、毛髪を清潔にして美しく整える、理美容に好適な毛髪仕上げコーム及びそのコームを用いて毛髪を清潔にして美しく整えることができるコーミング方法に関する。更に詳しくは、毛髪及び頭皮に付着した過剰な皮脂を除去し、毛脱毛を防止し育毛する効果があると共に、毛髪に艶とコシを付与し、くせ毛を矯正することができる上、ボリューム感のあるサラサラとした毛髪にする効果がある、理美容に好適な毛髪仕上げコーム及びそのコームを用いた理美容に好適なコーミング方法に関する。
【背景技術】
【０００２】
男女を問わず、清潔で整えられた毛髪に憧れる気持ちは強い。特に、女性の場合、くせ毛のないサラサラした艶のある美しい毛髪にしたいという需要が年代を問わず幅広く存在し、毛髪の理美容に対する出費が少ないとは言えない。このことは、総務省統計局の「サービス産業動向調査」平成２８年の拡大調査結果から分かるように、理容業と美容業を合わせた理美容市場が約２兆７００億円にも及んでいることから理解される（非特許文献１）。
【０００３】
このような需要に対して、毛髪及び頭皮に付着した皮脂、頭垢（フケ）等の老廃物や油性の整髪料等を除去して毛髪を清潔に保ち、脱毛を防止する技術、並びに、毛髪に艶とコシを付与し、くせ毛を矯正すると共に、ボリューム感のあるサラサラとした毛髪する技術が、古くから種々検討されてきた。
【０００４】
毛髪及び頭皮に付着した上記油成分を除去して毛髪を清潔に保ち、脱毛を防止する一般的な方法は、マッサージも兼ねた洗髪（頭皮の洗浄）であり、それに適したシャンプーばかりか、化粧品を落とすクレンジングオイル、炭酸水の使用も推奨されている。また、過剰な皮脂の発生を抑制するため、油を多く含む食物の摂取を減らすと共にビタミンの摂取に心掛ける生活習慣の改善にまで及んでいる。しかし、頭皮は人体の中で最も皮脂線が多く、顔の約３倍ある上、毛穴が大きく、その数も多いので、皮脂、フケ等の老廃物や油性の整髪料等の油脂成分が溜まり易く落ちにくい。そのため、様々な状況に応じた洗浄装置及び洗浄器具が考案されてきた。
【０００５】
業務用に考案されたと考えられる洗浄装置には、毛髪や毛穴等に付着した油脂成分を吸い込み除去する洗浄装置及び洗い流して除去する洗浄装置がある。前者としては、真空ポンプの吸引口に、弾性体から成る突起管を備えたヘッド管を有する吸引ノズルがホースを介して接続され、真空ポンプにより、脇の下の毛穴に多いポアクリン油脂を除去するが提案されており、頭皮に多い皮脂にも対応できることが記載されている（特許文献１及び非特許文献４）。後者としては、回転する突起を頭皮に接触させながら、その突起から帯電水の微細な液滴及び銅や銀等の特殊金属の微細な粉体を噴霧して、頭皮を洗浄すると共に、抗酸化作用、除菌作用等を付与することができる頭皮ケア装置（特許文献２）、フケ取り、脱毛防止、毛髪再生、脂漏防止等の頭皮を処置する化粧品を圧縮ガスにより頭皮に噴霧するエアブラシを備えた化粧学的処置を施すことができる洗浄装置（特許文献３）等が提案されている。しかしながら、これらの装置は、真空ポンプ、静電霧化装置、金属微粒子化装置、回転駆動源、圧縮機等の複雑で高価な装置が必須であるため、業務用としても取り扱いが困難である上、頭皮を処置する帯電水の液滴、金属粉体、化学品等の特別な物質を頭皮に激しく衝突する必要があるため、頭皮に物理的又は化学的な悪影響を及ぼす可能性がある。
【０００６】
一方、シャンプーを塗布し、指で毛髪及び頭皮を揉み擦る洗髪においては、揉めば揉む程、また、擦れば擦る程、油脂成分を除去することができるが、毛髪のキューティクルを痛めたり、頭皮に損傷を与えたりするため、ブラシ形状のハンドル部に駆動源と駆動部材を備え、そのヘッド部に駆動源と駆動部材によって咀嚼運動する平行に配列された三角歯が備えられた電動頭皮洗髪機が提案されている（特許文献４）。毛髪を三角歯の咀嚼運動で洗髪するため、毛髪を痛めることなく、また、頭皮に損傷を与えることがなく、毛髪や毛穴等に付着した油脂成分を除去できると記載されている。
【０００７】
より簡便な洗浄器具としては、本来、毛髪の縺れを解したり、毛髪を整える道具であるが、毛髪をブラッシング又はコーミングすることによって頭皮や毛髪に付着している皮脂やフケ等を取り除く作用があるヘアブラシ又はコームに改良が施されてきた。
【０００８】
ヘアブラシの場合、ヘアブラシの毛が頭皮の毛穴に届かないという問題を解決しようとすることを目的としており、種々の毛の構造及び形状が提案されてきた。例えば、ブラシの毛を植設する座部に、複数の長短二種の櫛歯を備え、短い櫛歯の先端に毛束を備えることによって、長い櫛歯で毛髪を掻き分け、短い櫛歯の毛束で頭皮に付着した皮脂やフケ等を取り除きやすくしたブラシ（特許文献５）、毛穴よりも細いテーパーの付いた毛の毛束を座部に植設したブラシ（特許文献６）、更には、毛の代わりに、不織布で形成した先端が面状の突起部を複数備えたブラシ（特許文献７）等が開示されている。
【０００９】
一方、コームの場合は、歯の先端が頭皮の毛穴に届かないということがないため、光触媒で被覆した歯の内部に紫外線を含む光源を備えたコームが提案されている（特許文献８）。紫外線が照射された光触媒の酸化作用により、毛髪や毛穴等に付着した油脂成分を親水性物質に分解するため、洗髪することなく、少量の水で除去できることが記載されている。
【００１０】
更に、コームの材質に着目し、油脂成分を吸着しやすい紙で組み立てられたコーム（特許文献９）、同様に、油脂成分を吸着しやすいパルプで樹脂成型方法を用いて製造されるコーム（特許文献１０）が開示されている。これらは、洗髪することなくコームを用いてコーミングするだけで油脂成分を除去することが可能な最も簡便な方法であるといえる。
【００１１】
以上、皮脂、フケ等の老廃物や油性の整髪料等の油脂成分を除去する洗浄装置及び洗浄器具が種々考案されているが、上述した特殊なヘアブラシ又はコームを用いてブラッシング又はコーミングだけで油脂成分を除去する方法が、毛髪及び頭皮に損傷を与えず、洗髪する必要もない簡便な洗浄器具及び洗浄方法であるといえる。しかし、これらの洗浄器具及び洗浄方法は、くせ毛を矯正することができる能力はない。
【００１２】
くせ毛を矯正すると共に、ボリューム感のあるサラサラとした毛髪する技術については、直毛をカールさせるアイロンパーマを逆用した、ヘアアイロンとパーマネント薬剤を併用する方法が数多く提案されてきた（特許文献１１、１３、１５、及び、１６）。しかし、毛髪に、熱を与えるだけでなく、パーマネント薬剤として第１薬剤（還元剤）及び第２薬剤（酸化剤）を塗布する二浴式パーマネント薬剤であるため、毛髪だけでなく頭皮にも損傷を与えるという問題や矯正力とその保持力が不足しているという問題があった。そのため、パーマネント第１薬剤の改良（特許文献１３）や、一浴式パーマネント薬剤の適用が施されてきた（特許文献１６）。また、ヘアアイロンの場合、毛髪が凹凸を有するアイロン面で強く挟み込まれる上、毛髪の根元から毛先に向かって扱かれる場合もあり、例え、アイロン面がテフロン（登録商標）加工等の表面処理が施されていたとしても、毛髪に与える損傷は大きいため、ヘアアイロンとして熱源を内蔵した可撓性賦形冶具を適用する技術が提案されている（特許文献１５）。
【００１３】
一方、パーマネント薬剤を用いないくせ毛の矯正方法として、２本のヘアブラシの毛が対向するようにハンドル部がヒンジで接続されたツインブラシによるブラッシングが古くから使用されてきた（特許文献１２）。しかし、矯正力及びその保持力に問題があり、パーマネント薬剤を用いる方法（特許文献１４）、ツインブラシとヘアアイロンを併用する方法（非特許文献５）が提案されている。
【００１４】
しかし、近年、パーマネント薬剤を使用することなく、毛髪及び頭皮に損傷を与えない矯正方法として、電解水を用いる方法が提案された（特許文献１７）。この方法は、圧縮気体に接続されたエアーブラシ又はエアスプレーにより、アルカリ性電解水を毛髪に噴霧した後、酸性電解水を毛髪に噴霧する方法である。この方法により、縮毛の矯正が可能であったとしても、毛髪や毛穴に固着した皮脂、フケ等の老廃物や油性の整髪料等の油脂成分を除去できる効果は記載されていない。また、洗髪と同様、電解装置が必要であり、多量の水を必要とする。
【００１５】
更に、毛髪の方向付け器具（コーム）及びそのコームを用いた毛髪方向付け方法が開示された（特許文献１８）。パーマネント薬剤及び熱を使用しないため、毛髪及び頭皮に損傷を与えることがなく、ニュートラルな状態の毛髪を所定の方向に方向付けすることが可能である上、毛穴に溜まっている皮脂等を除去することが可能であると記載されている。しかしながら、このコームを用いた毛髪方向付け方法は、毛髪に当接されるコームの先端にある面積の小さな当接部を毛髪の頭皮近傍に押さえつけた状態で、頭の形状に沿うようにコームを所定方向に移動させて毛髪の方向付けを行うため、毛髪及び頭皮を損傷することが容易に推測される。その上、この方法によって、くせ毛を矯正できる効果が発現するという記載がなく、発現する要素も認められない。また、この方法による皮脂等の除去については、このコームの当接部の厚さが略２ｍｍで、先端に向かって弧形状に形成されているため、毛穴に近い大きさ（すなわち、約直径０．２ｍｍ程度、非特許文献６及び７）の当接部を毛髪に当接させ、毛髪を頭皮に押さえ付けて移動するため、毛穴に溜まっている皮脂等を除去することが可能となると記載されており、毛髪及び頭皮を損傷する危険性があるものと考えられる。しかも、小さな面積の当接部を毛髪に当接させ、頭皮に押さえつける操作は熟練が必要である。
【００１６】
このように、水、洗髪剤、パーマネント薬剤、熱等を用いず、毛髪及び頭皮を損傷することなく、毛髪及び頭皮に付着した皮脂、フケ等の老廃物や油性の整髪料等を除去して毛髪を清潔に保ち、脱毛を防止する技術、並びに、毛髪に艶とコシを付与し、くせ毛を矯正すると共に、ボリューム感のあるサラサラとした毛髪にすることができる技術は見出されていない。
【先行技術文献】
【特許文献】
【００１７】
【特許文献１】特開平９-２５３１９３号公報
【特許文献２】特開２０１２−０６６０４７号公報
【特許文献３】特開２０１６−１９５７６８号公報
【特許文献４】特開２００４−１３６０４２号公報
【特許文献５】特開平９−３２７３３３号公報
【特許文献６】特開２００８−０６７７６８号公報
【特許文献７】特開２００８−１１９２３６号公報
【特許文献８】特表２０１５−５２８７１２号公報
【特許文献９】特開２００５−０６６２４８号公報
【特許文献１０】特開２０１７−０２９２８６号公報
【特許文献１１】特開平６−１８９８１８号公報
【特許文献１２】実開平６−０２９４３４号公報
【特許文献１３】特開２００４−００２４５９号公報
【特許文献１４】特開２００４−２０８８２１号公報
【特許文献１５】特開２００８−０６７８１６号公報
【特許文献１６】特開２００４−２９２３１８号公報
【特許文献１７】特開２００４−０３５０７４号公報
【特許文献１８】特開２０１８−０１５３３２号公報
【非特許文献】
【００１８】
【非特許文献１】総務省統計局ホームページ、ｈｔｔｐ：／／ｗｗｗ．ｓｔａｔ．ｇｏ．ｊｐ／ｄａｔａ／ｍｓｓｉ／ｋｅｋｋａ／ｐｄｆ／ｋ２０１６ｋ．ｐｄｆ、「サービス産業動向調査」平成２８年の拡大調査結果（確報）結果の概要、平成３０年３月３０日
【非特許文献２】生活向上情報サイト「イオプラス」ホームページ、ｈｔｔｐ：／／ｅｏｏｐｌｕｓ．ｉｎｆｏ／ｉｔａｋｅ＿ｔｈｅ＿ｏｉｌ＿ｏｆ＿ｔｈｅ＿ｓｃａｌｐ−７９４．ｈｔｍｌ、「頭皮の油を取る６つの方法」
【非特許文献３】日本経済新聞プラスワン、「体にも「Ｔゾーン」あり  皮脂、汗をきれいに落とす入浴法」、２０１２年１０月４日、ｈｔｔｐ：／／ｓｔｙｌｅ．ｎｉｋｋｅｉ．ｃｏｍ／ａｒｔｉｃｌｅ／ＤＧＸＤＺＯ４６６４７０５０Ｙ２Ａ９２０Ｃ１Ｗ１３００１？ｃｈａｎｎｅｌ＝ＤＦ１３０１２０１６６０９０及び＆ｐａｇｅ２
【非特許文献４】花王ホームページ、ｈｔｔｐｓ：／／ｗｗｗ．ｋａｏ．ｃｏ．ｊｐ／８ｘ４ｍｅｎ／ｍａｃｈａｎｉｓｍ、「汗と臭いのメカニズム」
【非特許文献５】Ａｃｈｆｉｌｏホームページ、ｈｔｔｐｓ：／／ｗｗｗ．ａｃｈｆｉｌｏ．ｃｏｍ／ｓｔｒａｉｇｔ／ｅｎｔｒｙ８５５６．ｈｔｍｌ、「縮毛矯正するうえで大切な９つのこと」
【非特許文献６】Ｏｒａｃｌｅｃｌｉｎｉｃホームページ、ｈｔｔｐ：／／ｊａｐａｎ．ｏｒａｃｌｅｃｌｉｎｉｃ．ｃｏｍ／ｘｅ／ｉｎｄｅｘ．ｐｈｐ？ｍｉｄ＝ｍｏｇｏｎｇ、「毛穴」
【非特許文献７】花王ホームページ、ｈｔｔｐｓ：／／ｗｗｗ．ｋａｏ．ｃｏｍ／ｊｐ／ｈａｉｒｃａｒｅ／ｓｔｒｕｃｔｕｒｅ＿０３．ｈｔｍｌ、「髪の太さとかたさ」
【発明の概要】
【発明が解決しようとする課題】
【００１９】
本発明は、水、洗髪剤、パーマネント薬剤、熱等を用いず、毛髪及び頭皮を損傷することなく、毛髪及び頭皮に付着した皮脂、フケ等の老廃物や油性の整髪料等を除去して毛髪を清潔に保ち、脱毛を防止する技術、並びに、毛髪に艶とコシを付与し、くせ毛を矯正すると共に、ボリューム感のあるサラサラとした毛髪にすることができる技術を提供することを目的とする。
【課題を解決するための手段】
【００２０】
発明者は、従来のブラシ及びコームのブラッシング及びコーミングに着目して検討した結果、特殊なコームによるコーミングに予想以上の効果を見出し、コームの形状、材質、及び、コーミング方法を種々検討した結果、コーム全体の構造及び細部の形状を改良し、磁性を有する鉄基合金をコームの材質とすることによって、水、洗髪剤、パーマネント薬剤、熱等を用いず、毛髪及び頭皮を損傷することなく、毛髪及び頭皮に付着した皮脂、フケ等の老廃物や油性の整髪料等を除去して毛髪を清潔に保つだけでなく、毛髪に艶とコシを付与し、くせ毛を矯正すると共に、ボリューム感のあるサラサラとした毛髪にすることができることを見出し、本発明の完成に至った。
【００２１】
すなわち、本発明のコームは、複数の歯を支える胴と、この胴に所定の間隔を置いて一列に垂設される複数の歯と、胴の先端にあって、この胴に延設される肩を介して複数の歯の先端の歯に所定の間隔を置いて形設される櫛尖（しつせん）と、胴及び歯に延設される櫛体（しつたい）と、この櫛体に歯の歯先と同じ方向に傾斜して延設される把手と、把手の後端に形設される母指孔とを一体に備えたことを特徴とするコーム、及び、このコームをコーム本体として、コーム本体の櫛体のほぼ中央において、コーム本体と、動把手とその動把手の一端に形設される薬指孔及び小指掛けとを一体に備えたコーム操作補助体の薬指孔及び小指掛けの他端とが、軸を架け渡す要によって所定の回転角を回動可能に枢結されていることを特徴とするコームを基本的な構造及び形状とするものである。
【００２２】
このようなコームの形状によって、胴から櫛体に至る背を頭皮に接触することなく、頭皮に沿って、コームを縦横無尽に平行往復移動させることができ、最適なコーミングを行える。その結果として、毛髪に艶とコシを付与し、くせ毛を矯正すると共に、ボリューム感のあるサラサラとした毛髪にすることができる。
【００２３】
特に、コーム操作補助体を備えた構造のコームは、後述するように、毛髪及び頭皮を損傷することなく、毛髪及び頭皮に付着した皮脂、フケ等の老廃物や油性の整髪料等を除去して毛髪を清潔に保つだけでなく、毛髪に艶とコシを付与し、くせ毛を矯正すると共に、ボリューム感のあるサラサラとした毛髪にするためのコーミングを行うために重要な役割を果たす。
【００２４】
そして、歯の一方の面を略水平な裏面とし、その反対側の歯の面を表（おもて）面として、その表面が直線状の傾斜面又は円弧状の傾斜面である表裏を有するコームであって、直線状の傾斜面と裏面とが形成する傾斜角及び円弧状の傾斜面の接線と裏面とが形成する傾斜角が５°以上１５°以下であるコームが好ましく、傾斜角が３°以上１２°以下であることがより好ましい。これが、上述したコームの操作を行う場合、毛髪に艶とコシを付与し、くせ毛を矯正すると共に、ボリューム感のあるサラサラとした毛髪にすることができる好適なコームの形状であることを見出した。その原因は定かではないが、歯と毛髪とが接触する角度に関連しているものと考えられ、適度な傾斜が必要であると推測される。
【００２５】
また、胴に垂設される歯の先端部分の歯先は、更に傾斜している方が好ましく、直線状の傾斜面と裏面とが形成する傾斜角及び円弧状の傾斜面の接線と裏面とが形成する傾斜角が６°以上２６°以下であって、歯先の裏面からの高さが０．７ｍｍ以上１．１ｍｍ以下となるように歯先収束面を形成し、裏面との傾斜角が３９°以上７９°以下で切断される歯先先端面が成形されていることが好ましい。このような歯先の形状が、毛髪に艶とコシを付与し、くせ毛を矯正すると共に、ボリューム感のあるサラサラとした毛髪にするためにより好ましい。
【００２６】
更に、歯先の形状は、上記歯先先端面に、歯先先端面の幅が０．１５ｍｍ以上０．４５ｍｍ以下、歯先先端面の長さが０．１５ｍｍ以上０．４５ｍｍ以下の突起体が形成されるように、歯の裏面との傾斜角が３６°以上７６°以下、より好ましくは、５０°以上７６°以下で歯先収束面の歯元側から切削されるような新たな歯先傾斜面を設けておき、その新たな歯先傾斜面、特に、収束面と交差するところに、０．０５ｍｍ以上０．４５ｍｍ以下、より好ましくは、０．０５ｍｍ以上０．２４ｍｍ以下の幅及び深さの溝が設けられていることがより更に好ましい。
【００２７】
以上、歯先の形状を説明したが、歯、歯先収束面、歯先先端面、及び、歯先傾斜面と歯裏面との傾斜角は、歯の傾斜角、歯先収束面の傾斜角、歯先傾斜面の傾斜角、及び、歯先先端面の傾斜角の順に大きくなっていることが好ましい。
【００２８】
このような歯先の形状は、毛髪１本の直径が、欧米人の場合、平均して０．０５ｍｍであり、日本人の場合、平均して０．０８ｍｍであることと密接に関係しており、歯先の先端の突起体及び溝が、絡んだ毛髪を解すと共に、毛髪１本毎にコーミング可能な形状となっている。この形状によって、毛髪に艶とコシを付与し、くせ毛を矯正すると共に、ボリューム感のあるサラサラとした毛髪にするだけでなく、毛髪の表皮に付着した様々な老廃物や油性の整髪料等を除去することができる。
【００２９】
コームの形状としては、歯の傾斜及び歯先の形状だけではなく、次のような種々の形状が重要な要素であることを見出した。
【００３０】
第一に、肩、胴、及び、櫛体とで形成される直線の背に対する把手の傾斜角、又は、肩、胴、及び、櫛体とで形成される円弧状曲線の背の接線に対する把手の傾斜角が２６°以上４６°以下、歯の長さが４ｍｍ以上１１ｍｍ以下、胴の幅が０．５ｍｍ以上４．５ｍｍ以下、歯の幅が０．７ｍｍ以上１．１ｍｍ以下、歯の間隔が０．８ｍｍ以上１．４ｍｍ以下であることが好適である。特に、歯の幅は０．９ｍｍ以上１．０ｍｍ以下、歯の間隔が１．０ｍｍ以上１．２ｍｍ以下であることがより好ましい。
【００３１】
第二に、胴と胴に垂設される複数の歯とが形成する歯元を連結した連結線が、直線又は円弧状曲線であって、この直線と櫛体側に傾斜する複数の歯とが形成する傾斜角、又は、この円弧状曲線の接線と櫛体側に傾斜する複数の歯とが形成する傾斜角が７５°以上９０°以下であることが好ましい。
【００３２】
第三に、肩、胴、及び、櫛体とで形成される背及び胴と胴に垂設される複数の歯とが形成する歯元を連結した連結線は、円弧状曲線であることがより好ましく、これらの円弧状曲線の背及び連結線の曲率が０．０００１以上０．０００８以下であることがより好ましい。
【００３３】
第四に、櫛尖の厚さが１．５ｍｍ以上３．０ｍｍ以下、櫛尖の幅が１．０ｍｍ以上３．０ｍｍ以下、櫛尖の長さが５．０ｍｍ以上７．０ｍｍ以下、櫛尖の側面が作る円弧状曲線の曲率が０．２１以上０．４０以下であって、肩の側面が作る円弧状曲線の曲率が０．０８以上０．２１以下であることが好適である。特に、櫛尖の厚さが２．３ｍｍ以上２．４ｍｍ以下、櫛尖の幅が１．５ｍｍ以上２．５ｍｍ以下、櫛尖の長さが５．５ｍｍ以上６．５ｍｍ以下であることがより好ましい。
【００３４】
第五に、櫛体の厚さが２．５ｍｍ以上３．５ｍｍ以下、櫛体の幅が７ｍｍ以上１７ｍｍ以下、櫛体の長さが２３ｍｍ以上３３ｍｍ以下、把手の厚さが３．５ｍｍ以上４．５ｍｍ以下、把手の長さが２１ｍｍ以上３１ｍｍ以下、及び、櫛尖の先端から櫛体までの胴に垂設される歯の全長が５０ｍｍ以上７０ｍｍ以下であることが好ましい。
【００３５】
第六に、コーム本体とコーム操作補助体とが枢結されたコームにおいては、全長が１６０ｍｍ以上１７０ｍｍ以下、要から櫛尖の先端までの長さが６７ｍｍ以上７７ｍｍ以下、要から把手の後端までの長さが６２ｍｍ以上７２ｍｍ以下、要から母指孔の中心までの長さが４８ｍｍ以上５８ｍｍ以下、要から動把手の後端までの長さｍが９０ｍｍ以上１００ｍｍ以下、要から薬指孔の中心までの長さが６０ｍｍ以上７０ｍｍ以下、小指掛けの長さоが１０ｍｍ以上２０ｍｍ以下、肩、胴、及び、櫛体とで形成される直線の背に対する動把手の傾斜角、又は、肩、胴、及び、櫛体とで形成される円弧状曲線の背の接線に対する動把手の傾斜角が０°以上５°以下であることが好ましい。
【００３６】
このような六つの形状に関する特徴は、絡んだ毛髪を解すと共に、毛髪１本毎にコーミング可能となり、毛髪に艶とコシを付与し、くせ毛を矯正すると共に、ボリューム感のあるサラサラとした毛髪にするだけでなく、毛髪の表皮に付着した様々な老廃物や油性の整髪料等を除去することができる。また、本発明のコームを用いてコーミングする際に、毛髪及び頭皮を損傷することなく、操作しやすい形状となっている。
【００３７】
このように、本発明のコームは、その構造及び形状だけでも、コーミングにおける優れた効果を発揮することができるので、一般的な熱可塑性又は熱硬化性の汎用プラスチック、ポリアミド（Ｐｏｌｙａｍｉｄｅ、ＰＡ）、ポリエーテルエーテルケトン（Ｐｏｌｙｅｔｈｅｒｅｔｈｅｒｋｅｔｏｎｅ、ＰＥＥＫ）、ポリフェニレンスルフィド（Ｐｏｌｙｐｈｅｎｙｌｅｎｅｓｕｌｆｉｄｅ、ＰＰＳ）、ポリイミド（Ｐｏｌｙｉｍｉｄｅ、ＰＩ）、ポリオキシメチレン（Ｐｏｌｙｏｘｙｍｅｔｈｙｌｅｎｅ、ＰＯＭ）、ポリテトラフルオロエチレン（Ｐｏｌｙｔｅｔｒａｆｌｕｏｒｏｅｔｈｙｌｅｎｅ、ＰＴＦＥ）、フェノール樹脂（Ｐｈｅｎｏｌｉｃ  ｒｅｓｉｎ）、ポリオレフィン樹脂（Ｐｏｌｙｏｒｅｆｉｎ）、超高分子量ポリエチレン樹脂（Ｕｌｔｒａ  Ｈｉｇｈ  Ｍｏｌｅｃｕｌａｒ  Ｗｅｉｇｈｔ  Ｐｏｌｙｅｔｈｙｌｅｎｅ、ＵＨＭＷＰＥ）、及び、アクリルニトリル−ブタジエン−スチレン共重合（ＡＢＳ）樹脂等のエンジニアリングプラスチック、ステンレス等の合金、並びに、各種セラミックスを用いて成形することができる。
【００３８】
しかしながら、コームは、上述した構造及び形状だけでなく、その材質を詳細に検討した結果、コーミングの結果に大きな影響を及ぼすことを見出し、本発明を完成するに至った。すなわち、磁性と硬度を兼ね備えた材質で成形されたコームのみが、毛髪に艶とコシを付与し、くせ毛を矯正すると共に、ボリューム感のあるサラサラとした毛髪にするだけでなく、毛穴及び毛髪に付着した様々な老廃物や油性の整髪料等を除去する効果が極めて大きいことを見出した。従って、上述したようなコームの詳細な好ましい構造及び形状に必ずしも限定される必要がないことも明らかとなった。
【００３９】
すなわち、本発明のコームは、上述した構造及び形状を有し、かつ、磁性を有し、焼き戻し後のブリネル硬度（ＨＢ）が１５０以上、又は、焼き戻し後のロックウェル硬度（ＨＲＣ）が５５以上である炭素鋼、特殊鋼、及び、ステンレス鋼のいずれかの鉄基合金によって成形されているコームであることを特徴とする。この因果関係については定かではないが、コーミングによってコームと毛髪が激しく摩擦するので、磁性、或いは、磁性及び硬度を発現する化学組成が、毛髪や皮脂、フケ等の老廃物や油性の整髪料等の油脂成分と相互作用するものと考えられ、その結果、本発明の磁性及び硬度を有するコームを用いたコーミングが、毛髪に艶とコシを付与し、くせ毛を矯正すると共に、ボリューム感のあるサラサラとした毛髪にするだけでなく、毛穴及び毛髪に付着した様々な老廃物や油性の整髪料等を除去する効果が極めて大きくなるものと推測される。一方では、このような材質は、耐食性にも優れており、コームの耐久性を高める上でも有効であり、コームに相応しい材質である。
【００４０】
上記炭素鋼でも、Ｃ含有量：０．８０％以上１．３５％以下、Ｓｉ含有量：０．２５％以下、Ｍｎ含有量：０．３５％以下、Ｐ含有量：０．０３％以下、Ｓ含有量：０．００６％以下、Ｎｉ含有量：１．３０％以下、Ｃｒ含有量：０．５０％以下の化学組成である炭素鋼が好ましく、焼き戻し後のＨＲＣが６０以上であるものがより好ましい。特に、Ｃ含有量：０．９０％以上１．２０％以下、Ｓｉ含有量：０．２０％以下、Ｍｎ含有量：０．３０％以下、Ｐ含有量：０．０２５％以下、Ｓ含有量：０．００４％以下、Ｎｉ含有量：０．２５％以下、Ｃｒ含有量：０．３０％以下であることがより好ましく、Ｃ含有量：０．９５以上１．１５％以下、Ｓｉ含有量：０．２０％以下、Ｍｎ含有量：０．３０％以下、Ｐ含有量：０．０２５％以下、Ｓ含有量：０．００４％以下、Ｎｉ含有量：０．１０％以下、Ｃｒ含有量：０．３０％以下であることがより更に好ましい。
【００４１】
特殊鋼については、特に、Ｃ含有量：１．００以上１．５０％以下、Ｓｉ含有量：０．３０％以下、Ｍｎ含有量：０．３０％以下、Ｐ含有量：０．０２５％以下、Ｓ含有量：０．０２％以下、Ｃｒ含有量：０．１５以上０．５０％以下、Ｖ含有量：０．５０％以下、Ｗ含有量：２．５０％以下である特殊鋼によって成形されていることが好ましく、焼き戻し後のＨＲＣが６０以上であるものがより好ましい。更に、Ｃ含有量：１．１０％以上１．３５％以下、Ｓｉ含有量：０．２０％以下、Ｍｎ含有量：０．３０％以下、Ｐ含有量：０．０２５％以下、Ｓ含有量：０．０００４％以下、Ｃｒ含有量：０．２０％以上０．５０％以下、Ｖ含有量：０．２０％以下、Ｗ含有量：２．００％以下であることがより好ましく、Ｃ含有量：１．２０以上１．３０％以下、Ｓｉ含有量：０．２０％以下、Ｍｎ含有量：０．３０％以下、Ｐ含有量：０．０２５％以下、Ｓ含有量：０．００４％以下、Ｃｒ含有量：０．３０％以上０．５０％以下、Ｖ含有量：０．２０％以下、Ｗ含有量：１．５０％以下であることがより更に好ましい。
【００４２】
また、ステンレス鋼については、Ｃ含有量：３．００以下、Ｓｉ含有量：１．００％以下、Ｍｎ含有量：１．００％以下、Ｐ含有量：０．０４％以下、Ｓ含有量：０．０３％以下、Ｎｉ含有量：０．４９％以下、Ｃｒ含有量：４．５０％以上２０．０％以下、Ｍｏ含有量：５．００％以下、Ｖ含有量：３．００％以下、Ｗ含有量：６．００％以下、Ｃｏ含有量８．００％以下であるステンレス鋼によって成形されていることが好ましく、焼き戻し後のＨＢが１５０以上であるものがより好ましい。中でも、Ｃ含有量：０．１６％以上３．００％以下、Ｓｉ含有量：０．５０％以下、Ｍｎ含有量：０．８０％以下、Ｐ含有量：０．０３％以下、Ｓ含有量：０．０２％以下、Ｎｉ含有量：０．４９％以下、Ｃｒ含有量：１２．０％以上１８．０％以下、Ｍｏ含有量：２．５０％以下、Ｖ含有量：０．５０％以下、Ｗ含有量：０．５０％以下、Ｃｏ含有量３．００％以下であることがより好ましく、Ｃ含有量：０．５５％以上１．３５％以下、Ｓｉ含有量：０．３５％以下、Ｍｎ含有量：０．７５％以下、Ｐ含有量：０．０３％以下、Ｓ含有量：０．０２％以下、Ｎｉ含有量：０．４９％以下、Ｃｒ含有量：１３．０％以上１７．０％以下、Ｍｏ含有量：１．２０％以下、Ｖ含有量：０．３０％以下、Ｗ含有量：０．３０％以下、Ｃｏ含有量１．８０％以下であることがより更に好ましい。
【００４３】
そして、本発明のコームは、その材質の効果を最大限に発揮するには、より高い磁性を有し、焼き戻し後のブリネル硬度（ＨＢ）が１５０以上、又は、焼き戻し後のロックウェル硬度（ＨＲＣ）が５５以上である炭素鋼、特殊鋼、及び、ステンレス鋼、更により好ましい化学組成を記載した、上記炭素鋼、特殊鋼、及び、ステンレス鋼のいずれかの鉄基合金単体で成形されることが好ましいが、これらを母材とするクラッド材料を適用することもできる。クラッド材料にも様々な構成があるが、母材と毛髪との接触面積が大きい構成である方が好ましい。具体的には、シングルレイ（全面２層）、センターレイ(中付２層)、サイドレイ（片付２層）、ダブルサイドレイ（平行片付２層）、ＵＤサイドレイ（両面片付３層）、リバースレイ（両面段違い付３層）、オールインレイ（全面３層）、センターインレイ（中付３層）、サイドインレイ（片付３層）、ダブルサイドインレイ（平行片付３層）、シングルエッジレイ（側面片付）、ダブルエッジレイ、及び多積層等の構成のクラッド材料を用いることができる。
【００４４】
以上、本発明のコームの構造、形状、材質について説明したが、本発明のコームを用いたコーミング方法によっても、毛髪に艶とコシを付与し、くせ毛を矯正すると共に、ボリューム感のあるサラサラとした毛髪にするだけでなく、毛穴及び毛髪に付着した様々な老廃物や油性の整髪料等を除去する効果が異なってくる。すなわち、本発明のコームを用いたコーミング方法は、コームの表面を上方に向け、コームの肩、胴、及び、櫛体とで形成される直線状の背又は円弧状の背を頭皮と接触させた又は接触することなく、頭皮に沿うように縦横無尽に平行往復移動することが最適である。このコーミング方法によって、毛髪及び頭皮に損傷を与えることがなく、毛髪調整効果、並びに、毛髪、毛穴、及び、頭皮に付着した老廃物や油性成分の除去効果を最大限に発揮することができる。
【発明の効果】
【００４５】
本発明のコーム及びコーミング方法によれば、水、洗髪剤、パーマネント薬剤、熱等を用いず、毛髪及び頭皮を損傷することなく、毛髪に艶とコシを付与し、くせ毛を矯正すると共に、ボリューム感のあるサラサラとした毛髪にすることができる上、毛髪及び頭皮に付着した皮脂、フケ等の老廃物や油性の整髪料等を除去して毛髪を清潔に保ち、脱毛を防止することができる。本発明のコームの背が頭皮と接触して平行往復移動することによって、頭皮のマッサージ効果が得られるので、頭皮の血行が良くなり、毛髪への栄養分の供給が増加するので、育毛、生え癖や痩せ髪の改善等といった種々の効果も期待できる。
【００４６】
このような効果は、本発明のコームの構造及び形状だけでなく、磁性と硬度を有し、耐食性に優れた炭素鋼、特殊鋼、及び、ステンレス鋼を使用することによって顕著になり、本発明のコーミング方法によって最大限に発揮される。
【図面の簡単な説明】
【００４７】
【図１】本発明の一実施形態に係る第一のコームの表（おもて）面からの概略模式図である。
【図２】本発明の一実施形態に係る図１に示した第一のコームの歯側からの側面模式図である。
【図３】本発明の一実施形態に係る図１に示した第一のコームの背側からの側面模式図である。
【図４】本発明の一実施形態に係る第二のコームの表面からの概略模式図である。
【図５】本発明の一実施形態に係る第二のコームの裏面からの概略模式図である。
【図６】本発明の一実施形態に係る図４に示した第二のコームの歯側からの側面模式図である。
【図７】本発明の一実施形態に係る図４に示した第二のコームの背側からの側面模式図である。
【図８】本発明の一実施形態に係る図４に示した第二のコームの各部位に適した寸法を示した概略模式図である。
【図９】本発明の一実施形態に係る第一及び第二のコームの胴、背、歯、及び、歯元に関する好ましい寸法を示した裏面からの概略部分模式図である。
【図１０】本発明の一実施形態に係る第一及び第二のコームの歯、目、肩、及び、櫛尖に関する好ましい寸法を示した裏面からの概略模式図である。
【図１１】本発明の一実施形態に係る第一及び第二のコームの歯、目、及び、第一の歯先に関する好ましい寸法を示した表面からの概略斜視模式図である。
【図１２】本発明の一実施形態に係る第二のコームの歯先を変形した第二の歯先を備えたコームの表面からの概略模式図である。
【図１３】図１２に示した第二のコームに備えた第二の歯先に関する好ましい寸法を示した表面からの概略模式図である。
【図１４】図１２に示した第二のコームに備えた第二の歯先の裏面からの概略模式図である。
【図１５】本発明の一実施形態に係る第二のコームの運指を示す写真である。
【図１６】本発明の一実施形態に係る第二のコームを使用したコーミン法の一例を示す写真である。
【図１７】本発明の一実施形態に係る第二の歯先を備えた第二のコームを使用して、本発明の一実施形態であるコーミング法でコーミングする前後の第二の歯先を備えた第二のコームの歯の拡大写真で、本発明のコームのコーミングによる老廃物除去効果を示している。
【図１８】本発明の一実施形態に係る第二の歯先を備えた第二のコームを使用して、本発明の一実施形態であるコーミング法でコーミングする前後の毛穴付近の写真で、本発明のコームのコーミングによる皮脂除去効果を示している。
【図１９】本発明の一実施形態に係る第二の歯先を備えた第二のコームを使用して、本発明の一実施形態であるコーミング法でコーミングする前後の毛髪の模式図で、本発明のコームのコーミングによる毛髪調整効果を示している。
【図２０】本発明の一実施形態に係る第二の歯先を備えた第二のコームを使用して、本発明の一実施形態であるコーミング法でコーミングする前後の毛髪の写真で、本発明のコームのコーミングによるくせ毛矯正効果を示している。
【図２１】本発明の一実施形態に係る第二の歯先を備えた第二のコームを使用して、本発明の一実施形態であるコーミング法でコーミングする前後の毛髪の写真で、本発明のコームのコーミングによるつむじ遮蔽効果を示している。
【発明を実施するための形態】
【００４８】
以下、図面に示した一実施形態を用い、本発明をより詳細に説明するが、本発明はこれらに限定されるものではなく、本発明の主旨を逸脱しない範囲内で種々変更して実施することが可能であり、特許請求の範囲に記載した技術思想によってのみ限定されるものである。
【００４９】
図１には、本発明の一実施形態に係る第一のコームの表（おもて）面からの概略模式図を示した。胴１が複数の歯４を支えており、胴１に所定の間隔を有する目５設け、複数の歯４が一列に垂設されている。胴１の先端には、胴１に延設された肩３を介し、複数の歯４の先端の歯に所定の間隔を置いて櫛尖（しつせん）６が形設され、その反対側に、最後端の歯元４−１−１から胴１が延びて拡がるように櫛体（しつたい）７が延設されている。そして、櫛体７に歯４の歯先４−２−１と同じ方向に傾斜して把手８が延設され、把手８の後端に母指孔９が形設されている。
【００５０】
従来の胴、背、歯、歯元、目、及び、肩を一体に備えた櫛と呼ばれる構造は、図１に示すように、胴１、背２、歯４、歯元４−１、目５、及び、肩３に備えられているが、本発明のコームは、胴１が延びて拡がって成形されている櫛体７、その櫛体７から、歯４の歯先４−２−１の方向に傾斜して延設される把手８、及び、把手８に形設される母指孔９を備えていることを特徴としている。これは、本発明の目的とする、コームを用い、毛髪に艶とコシを付与し、くせ毛を矯正すると共に、ボリューム感のあるサラサラとした毛髪にすることができる上、毛髪及び頭皮に付着した皮脂、フケ等の老廃物や油性の整髪料等を除去して毛髪を清潔に保つためのコーミング、すなわち、コームを操作し易くするために考案したものである。
【００５１】
図１に示した第一のコームの構造をより分かりやすくするため、図２及び図３には、それぞれ、歯４側から見た側面模式図及び背２側から見た側面模式図を示した。
【００５２】
図４には、本発明の一実施形態に係る第二のコームの表面からの概略模式図を示した。コーム本体１２は、要１７を除いて、図１で説明した第一のコームとほぼ同様の構造をしているので、説明を省略する。第二のコームの特徴は、動把手１３と動把手１３の一端に形設される薬指孔及び小指掛けとを一体に備えたコーム操作補助体１６が、コーム本体１２の櫛体７のほぼ中央において、軸を架け渡される要１７によって所定の回転角を回動可能にコーム本体と枢結されていることを特徴としている。コーム本体１２とコーム操作補助体１６との枢結により、動把手１３が回動して用いられるため、コーム本体１２には、薬指孔１４が形設された外縁が、母指孔９が形設された外縁と接触する部分に緩衝点１０を設けると共に、動把手１３が回動しやすくするための、ハサミと同じ構造である触点１１を設けている。
【００５３】
第二のコームについても、その構造をより分かりやすくするため、図５、図６、及び、図７には、それぞれ、裏面から見た概略模式図、歯４側から見た側面模式図、及び、背２側から見た側面模式図を示した。
【００５４】
第二のコームの特徴であるコーム操作補助体１６は、このコームを用いてコーミングする際、コーム本体１２を把手８及び動把手１３の二本で安定して支えることができ、コーム本体１２の操作性を格段に向上させるために考案された。コーミングは、一般的に、理容師が行うことが多く、ハサミを使い慣れているため、ハサミを使用する感覚でコームを操作することができることもその要因であると考えられる。
【００５５】
特に、第二のコームを用いて、本発明で成形したコームの厚さの一例を図７に示した。櫛尖６の厚さａは１．５ｍｍ以上３．０ｍｍ以下であることが好ましいが、２．３ｍｍ以上２．４ｍｍ以下であることがより好ましい。櫛体７の厚さｂは２．５ｍｍ以上３．５ｍｍ以下、把手８及び動把手１３は３．５ｍｍ以上４．５ｍｍ以下、小指掛け１５は４．５ｍｍ以上５．５ｍｍ以下であることが好ましい。これらの寸法は、第一のコームにも適用される。しかし、これらの寸法に限定されるものではない。
【００５６】
同様に、第二のコームを用いて、本発明で成形したコーム全体の長さや傾斜角の一例を図８に示した。図から明らかなように、第二のコームの全長ｅは１６０ｍｍ以上１７０ｍｍ以下、要１７から櫛尖６先端までの長さｆは６７ｍｍ以上７７ｍｍ以下、要１７から把手８後端までの長さｇは６２ｍｍ以上７２ｍｍ以下、
要１７から母指孔９の中心までの長さｈは４８ｍｍ以上５８ｍｍ以下、 歯４の全長ｉは５０ｍｍ以上７０ｍｍ以下、櫛体７の長さｊは２３ｍｍ以上３３ｍｍ、把手８の長さｋは２１ｍｍ以上３１ｍｍ以下、櫛体７の幅ｌは７ｍｍ以上１７ｍｍ以下、要１７から動把手１３後端までの長さｍは９０ｍｍ以上１００ｍｍ以下、要１７から薬指孔１４の中心までの長さｎは６０ｍｍ以上７０ｍｍ以下、小指掛けの長さоは１０ｍｍ以上２０ｍｍ以下であることが好ましい。また、把手８及び動把手１３は、背２に対して、歯４の歯先４−２−１の方向に傾斜していることが好ましい。把手８は、背２が直線の場合には、その直線と把手８との傾斜角αが、背２が円弧状曲線の場合には、その円弧状曲線の接線と把手８との傾斜角αが、２６°以上４６°以下であることが好ましい。動把手１３は、背２が直線の場合には、その直線と動把手１３との傾斜角βが、背２が円弧状曲線の場合には、その円弧状曲線の接線と動把手１３との傾斜角βが、０°以上５°以下であることが好ましい。この場合も、これらの寸法は、第一のコームにも適用される。しかし、これらの寸法に限定されるものではない。
【００５７】
このようなコーム全体の長さや傾斜角は、コームを操作する上で好ましい一例を示したが、操作する人の個人差もあり、必ずしもこれに限定されるものではないが、把手８及び動把手１３が、歯４の歯先４−２−１の方向に傾きを持っていることは、コーミングの操作上特に重要な特徴である。
【００５８】
図９には、本発明の一実施形態に係る第一及び第二のコームの胴１、背２、歯４、及び、歯元４−１に関する好ましい寸法の一例を示した裏面からの概略部分模式図である。胴１の幅ｑは０．５ｍｍ以上４．５ｍｍ以下、歯４の長さｐは４ｍｍ以上１１ｍｍ以下であることが好ましい。歯４は、櫛体７の方向に傾斜していることが好ましく、歯元４−１を結ぶ歯元連結線１８が直線の場合は、歯４と直線との傾斜角γが、歯元４−１を結ぶ歯元連結線１８が円弧状曲線の場合は、歯４と円弧状曲線の接線との傾斜角γが、７５°以上９０°以下であることが最適である。図９に示すように、胴１の幅ｑ及び歯４の長さｐは、櫛尖６から櫛体７にかけて、連続的に大きくなるように成形されていることが好ましく、歯４の傾斜角γは、櫛尖６から櫛体７にかけて、連続的に小さくなるように成形されていることが好ましい。このような形状によって効果的に毛髪を解すことが可能になるが、必ずしもこれに限定されるものではなく、上述した寸法及び傾斜角の範囲において、一定の長さ及び傾斜角であっても構わない。
【００５９】
また、背２及び歯元連結線１８は、直線状であっても問題ないが、円弧状曲線である方が、コーミングが滑らかで、毛髪を解す効果が高く、毛髪及び頭皮に損傷を与えることがない。特に、背２の曲率κ２及び歯元連結線１８の曲率κ１８が０．０００１以上０．０００８以下の円弧状曲線であることが好ましい。
【００６０】
更に、図１０は、本発明の一実施形態に係る第一及び第二のコームの歯、目、肩、及び、櫛尖に関する好ましい寸法の一例を示した裏面からの概略模式図である。本発明のコームは、図に示すように、歯４の幅ｒが０．７ｍｍ以上１．１ｍｍ以下、歯４の間隔、すなわち、目５の幅ｓが０．８ｍｍ以上１．４ｍｍ以上で成形されることが好ましいが、歯４の幅ｒが０．９ｍｍ以上１．０ｍｍ以下、目５の幅ｓが１．０ｍｍ以上１．２ｍｍ以下で成形されることが、毛髪を解して、毛髪に艶とコシを付与し、くせ毛を矯正すると共に、ボリューム感のあるサラサラとした毛髪にする上でより好ましい。ただし、これに限定されるものではない。
【００６１】
歯４の幅ｒ及び目の幅ｓと同様の意味で、胴１から肩３を介してコームの最先端に成形される櫛尖６の形状もコーミングにおいて重要な要素である。図に示すように、櫛尖の幅ｔ１が１．０ｍｍ以上３．０ｍｍ以下、櫛尖の長さｔ２が５．０ｍｍ以上７．０ｍｍ以下であることが好ましいが、櫛尖の幅ｔ１が１．５ｍｍ以上２．５ｍｍ以下、櫛尖の長さｔ２は５．５ｍｍ以上６．５ｍｍ以下であることがより好ましい。更に、櫛尖７先端の側面６−１及び肩３の側面３−１は、円弧状曲面となっていることが好ましく、櫛尖側面６−１の曲率κ６は０．２１以上０．４０以下、肩側面３−１の曲率κ３は０．０８以上０．２１以下であることが最適である。
【００６２】
特に先端の形状は、毛髪を解して、毛髪に艶とコシを付与し、くせ毛を矯正すると共に、ボリューム感のあるサラサラとした毛髪にすることや、毛髪及び頭皮に付着した皮脂、フケ等の老廃物や油性の整髪料等を除去することよりも、コーミングにおける毛髪及び頭皮に与える損傷を防止する上で重要な要素である。
【００６３】
以上のように、コームの各部位の形状の詳細な寸法を説明してきたが、歯４の表面４−３、側面４−４、及び、裏面４−５、並びに、歯先４−２の形状も本発明のコームの機能に大きな影響を及ぼす。
【００６４】
図１１は、本発明の一実施形態に係る第一及び第二のコームの歯及び第一の歯先に関する好ましい寸法を示した表面からの概略斜視模式図である。歯側面４−４及び歯裏面４−５は、略平面であることが好ましく、歯裏面４−５は略水平で、歯側面４−４は、歯裏面４−５に略垂直に成形される。歯表面４−３は、直線状の傾斜面又は円弧状の傾斜面であることが好ましい。直線状の傾斜面の場合、歯表面４−３と歯裏面４−５との傾斜角δが、円弧状の傾斜面の場合、円弧状の傾斜面の接線と歯裏面４−５との傾斜角δが、５°以上１５°以下であることが好ましい。
【００６５】
歯先４−２は、歯表面４−５が一定の傾斜角を持った第一の歯先収束面４−２−１１が成形され、第一の歯先先端面４−２−１２で切断されたような形状であることが好ましい。第一の歯先収束面４−２−１１と裏面４−５との傾斜角ζは、６°以上２６°以下であることが好ましい。また、第一の歯先先端面４−２−１２も傾斜していることが好ましく、第一の歯先先端面４−２−１２と裏面４−５との傾斜角εは３９°以上７９°以下であることが好ましい。更に、第一の歯先先端面４−２−１２は、略正方形であることが好ましく、第一の歯先先端面４−２−１２の高さｕは０．７ｍｍ以上１．１ｍｍ以下で成形される。ただし、本発明のコームの歯先４−２の形状も、これらの数値に限定されるものではない。
【００６６】
図１２は、本発明の一実施形態に係る第二のコームの歯先を変形した第二の歯先４−２−２を備えたコームの表面からの概略模式図である。図４〜図７に示した第二のコームの歯先だけを変形したもので、歯先以外の形状の全ての寸法は図７〜図１０に準じる。
【００６７】
図１３は、図１２に示した第二のコームに備えた第二の歯先４−２−２に関する好ましい寸法を示した表面からの概略模式図である。第二の歯先４−２−２の形状は、図１１に示した第一の歯先収束面４−２−１１を、この収束面の始まるところから、傾斜角ηで一部を切削したように、第二の歯先収束面４−２−２１、第二の歯先先端面４−２−２２、及び、第二歯先傾斜面４−２−２３を、それぞれ略長方形となるように成形し、第一の歯先先端面の一部を歯先突起体のように残した形状となっている。その結果、第二の歯先収束面４−２−２１の傾斜角ζ及び第二の歯先先端面４−２−２２の傾斜角εに変化はなく、歯先突起体の幅ｙ１及び歯先突起体の長さｙ２が０．１５ｍｍ以上０．４５ｍｍ以下で、略正方形の歯裏面４−５から楔形のような側面をした歯先突起体になっており、その側面に沿って、略長方形の第二の歯先傾斜面４−２−２３が、傾斜角ηで第二の歯先収束面４−２−２１の始まり（第一の歯先収束面４−２−１１の始まりと同じ位置）から歯裏面４−５に向かって成形されている。この傾斜角ηは３６°以上７６°以下であることが好ましく、歯裏面に対する歯表面の傾斜角δ、歯裏面に対する第一及び第二の歯先先端面の傾斜角ε、歯裏面に対する第一及び第二の歯先収束線面の傾斜角ζ、及び、歯裏面に対する第２の歯先傾斜面の傾斜角ηの大小関係は、δ＜ζ＜η＜εとなっていることが好ましい。ただし、これらの数値についても限定されるものではない。
【００６８】
更に、第二の歯先傾斜面４−２−２３と第二の歯先収束面４−２−２１が交差するところに、溝１９を成形しておくことがより好ましく、溝の幅及び深さｘは０．０５ｍｍ以上０．４５ｍｍ以下であることが好ましく、０．０５ｍｍ以上０．２４ｍｍ以下であることがより好ましいが、これらに限定されるものではない。
【００６９】
最後に、図１４には、図１３で示した第二の歯先の形状を理解するために、図１２に示した第二のコームに備えた第二の歯先の裏面からの概略模式図を示した。第二の歯先には、歯先突起体が出ていることが分かる。
【００７０】
以上、本発明のコームの構造及び形状について詳説してきた中で、形状の寸法を限定した場合の方が、コーミングにおける結果として好ましい効果が発現する。しかしながら、コームを成形する材質の影響が著しいため、必ずしもこれらの形状を規定する数値に限定されるものではない。
【００７１】
図１、図４、図７、及び、図８に示したコームが、磁性を有し、焼き戻し後のブリネル硬度（ＨＢ）が１５０以上、又は、焼き戻し後のロックウェル硬度（ＨＲＣ）が５５以上である炭素鋼、特殊鋼、及び、ステンレス鋼のいずれかの鉄基合金によって成形されるだけで、毛髪に艶とコシを付与し、くせ毛を矯正すると共に、ボリューム感のあるサラサラとした毛髪にすることや、毛髪及び頭皮に付着した皮脂、フケ等の老廃物や油性の整髪料等を除去する効果が発現する。
【００７２】
コームが、Ｃ含有量：０．８０％以上１．３５％以下、Ｓｉ含有量：０．２５％以下、Ｍｎ含有量：０．３５％以下、Ｐ含有量：０．０３％以下、Ｓ含有量：０．００６％以下、Ｎｉ含有量：１．３０％以下、Ｃｒ含有量：０．５０％以下の化学組成であって、磁性を有し、焼き戻し後のＨＲＣが６０以上である炭素鋼、Ｃ含有量：１．００％以上１．５０％以下、Ｓｉ含有量：０．３０％以下、Ｍｎ含有量：０．３０％以下、Ｐ含有量：０．０２５％以下、Ｓ含有量：０．０２％以下、Ｃｒ含有量：０．１５％以上０．５０％以下、Ｖ含有量：０．５０％以下、Ｗ含有量：２．５０％以下であって、磁性を有し、焼き戻し後のＨＲＣが６０以上である特殊鋼、及び、Ｃ含有量：３．００％以下、Ｓｉ含有量：１．００％以下、Ｍｎ含有量：１．００％以下、Ｐ含有量：０．０４％以下、Ｓ含有量：０．０３％以下、Ｎｉ含有量：０．４９％以下、Ｃｒ含有量：４．５０％以上２０．０％以下、Ｍｏ含有量：５．００％以下、Ｖ含有量：３．００％以下、Ｗ含有量：６．００％以下、Ｃｏ含有量８．００％以下であって、磁性を有し、焼き戻し後のＨＢが１５０以上であるステンレス鋼によって成形されることがより好ましい。
【００７３】
本実施例では、上記ステンレス鋼に属するＶ金１０（武生特殊鋼(株)製）を用いて、図１２に示した第二の歯先を有する第二のコームを成形した。そのコームを用いてコーミングを行い、コーミング前後のコームの状態、頭皮の状態、毛髪の状態を比較した。
【００７４】
図１５は、本発明の図１２に示したコームの試作品で、その持ち方を示している。母指孔９、薬指孔１４、小指掛け１５にそれぞれ対応する指を備え、動把手１３に示指及び中指を備える。
【００７５】
図１６は、本発明の一実施形態であるコーミング方法を示している。ここでは、毛髪を持ち上げ、その持ち上げられた毛髪の頭皮の付近に、図１２のコームの表面を上方に向け、肩３、胴１、及び、櫛体７とで形成される直線状の背２又は円弧状の背２を頭皮と接触させて又は接触することなく、頭皮に沿うように水平方向に往復移動を行っている。この動作を、頭のどの位置においても同様に行うだけでよい。すなわち、コームの表面を上方に向け、コームの背を頭皮に接触させて又は接触することなく、頭皮に沿うように縦横無尽に平行往復移動すればよい。  
【００７６】
図１７は、本発明の一実施形態に係る第二の歯先を備えた第二のコームを使用して、本発明の一実施形態であるコーミング法でコーミングする前後の第二の歯先を備えた第二のコームの歯の拡大写真で、本発明のコームのコーミングによる老廃物除去効果を示している。コーミング前（ａ）の歯Ｇには何ら異物が付着していないが、コーミング後（ｂ）の歯Ｇには、毛髪や頭皮に付着していた皮脂、フケ等の老廃物Ｈがおびただしく付着している。
【００７７】
このことは、コーミング前後の頭皮の毛穴の状態を観察することによって裏付けられた。図１８は、本発明の一実施形態に係る第二の歯先を備えた第二のコームを使用して、本発明の一実施形態であるコーミング法でコーミングする前後の毛穴付近の写真で、本発明のコームのコーミングによる皮脂除去効果を証明している。コーミング前（ａ）には、毛穴に多量の皮脂Ｉが付着していたが、コーミング後（ｂ）の毛穴には皮脂が認められない。
【００７８】
図１９は、本発明の一実施形態に係る第二の歯先を備えた第二のコームを使用して、本発明の一実施形態であるコーミング法でコーミングする前後の毛髪の模式図で、本発明のコームのコーミングによる毛髪調整効果を示している。コーミング前（ａ）は、毛髪が絡んだり、折れたりして、毛髪のボリュームがなく、くせ毛になっているが、コーミング後（ｂ）は、毛髪が一本毎に解され、毛髪に艶とコシを付与し、くせ毛を矯正すると共に、ボリューム感のあるサラサラとした毛髪にされる。
【００７９】
図２０は、本発明の一実施形態に係る第二の歯先を備えた第二のコームを使用して、本発明の一実施形態であるコーミング法でコーミングする前後の毛髪の写真で、本発明のコームのコーミングによるくせ毛矯正効果を示している。コーミング前（ａ）は、丸で囲まれた毛髪が縮れて跳ねているが、コーミング後（ｂ）は、丸で囲まれた毛髪がまっすぐに伸びた状態に矯正されている。この効果は、約２〜３週間続くことを確認している。
【００８０】
図２１は、本発明の一実施形態に係る第二の歯先を備えた第二のコームを使用して、本発明の一実施形態であるコーミング法でコーミングする前後の毛髪の写真で、本発明のコームのコーミングによるつむじ遮蔽効果を示している。コーミング前（ａ）とコーミング後（ｂ）のつむじを比較すると、写真から明らかなように、コーミング後のつむじは認めにくくなっている。
【産業上の利用可能性】
【００８１】
本発明のコームは、従来にない新しい構造及び形状に加え、磁性、硬度、耐食性を有する炭素鋼、特殊鋼、ステンレス鋼という材質を適用することによって、毛髪に艶とコシを付与し、くせ毛を矯正すると共に、ボリューム感のあるサラサラとした毛髪にできると共に、毛髪や頭皮に付着する油性成分を除去できる。従って、ペットのコームとして応用することができるのは言うまでもなく、絨毯、毛布等のボリューム感を回復させ、清潔に保つためのコーム等として応用することができる。更に、本発明の合金を毛に加工することによって、本発明と同様の効果を発現するブラシを製造することができる可能性がある。
【符号の説明】
【００８２】
１：胴
２：背（胴側面）
３：肩
３−１  肩側面
４：歯
４−１：歯元
４−１−１：最後端の歯元
４−２：歯先
４−２−１：第一の歯先
４−２−１１：第一の歯先収束面
４−２−１２：第一の歯先先端面
４−２−２：第二の歯先
４−２−２１：第二の歯先収束面
４−２−２２：第二の歯先先端面
４−２−２３：第二の歯先傾斜面
４−３：歯表面
４−４：歯側面
４−５：歯裏面
５：目
６：櫛尖（しつせん）
６−１：櫛尖側面
７：櫛体（しつたい）
８：把手
９：母指孔
１０：緩衝点
１１：触点
１２：コーム本体
１３：動把手
１４：薬指孔
１５：小指掛け
１６：コーム操作補助体
１７：要（かなめ）
１８：歯元連結線
１９：溝
ａ：櫛尖の厚さ
ｂ：櫛体の厚さ
ｃ：播種の厚さ
ｄ：小指掛けの厚さ
ｅ：全長
ｆ：要から櫛尖先端までの長さ
ｇ：要から把手後端までの長さ
ｈ：要から母指孔の中心までの長さ
ｉ：歯の全長
ｊ：櫛体の長さ
ｋ：把手の長さ
ｌ：櫛体の幅
ｍ：要から動把手後端までの長さ
ｎ：要から薬指孔の中心までの長さ
о：小指掛けの長さ
ｐ：歯の長さ
ｑ：胴の幅
ｒ：歯の幅
ｓ：目の幅
ｔ１：櫛尖の幅
ｔ２：櫛尖の長さ
ｕ：歯先の高さ
ｘ：第二の歯先傾斜面の溝の幅及び深さ
ｙ１：歯先突起体の幅
ｙ２：歯先突起体の長さ
α：背接線に対する把手の傾斜角
β：背接線に対する動把手閉止時の傾斜角
γ：歯元連結線の接線に対する歯の傾斜角
δ：歯裏面に対する歯表面の傾斜角
ε：歯裏面に対する第一及び第二の歯先先端面の傾斜角
ζ：歯裏面に対する第一及び第二の歯先収束面の傾斜角
η：歯裏面に対する第二の歯先傾斜面の傾斜角
κ２：背側面の曲率
κ１８：歯元連結線の曲率
κ３：肩側面の曲率
κ６：櫛尖側面の曲率
κ４：歯表面の曲率
Ａ：本発明のコーム
Ｂ：母指
Ｃ：示指
Ｄ：中指
Ｅ：薬指
Ｆ：小指
Ｇ：本発明のコームの歯
Ｈ：皮脂等の老廃物
Ｉ：皮脂
Ｊ：毛髪
【図１】
2020131007.tif 000003
【図２】
2020131007.tif 000004
【図３】
2020131007.tif 000005
【図４】
2020131007.tif 000006
【図５】
2020131007.tif 000007
【図６】
2020131007.tif 000008
【図７】
2020131007.tif 000009
【図８】
2020131007.tif 000010
【図９】
2020131007.tif 000011
【図１０】
2020131007.tif 000012
【図１１】
2020131007.tif 000013
【図１２】
2020131007.tif 000014
【図１３】
2020131007.tif 000015
【図１４】
2020131007.tif 000016
【図１５】
2020131007.tif 000017
【図１６】
2020131007.tif 000018
【図１７】
2020131007.tif 000019
【図１８】
2020131007.tif 000020
【図１９】
2020131007.tif 000021
【図２０】
2020131007.tif 000022
【図２１】
2020131007.tif 000023